(57)【特許請求の範囲】
【請求項１】
サッシュレスドアを備えた車両のルーフに固定されるリテーナに取り付けられ、上記サッシュレスドアの昇降ガラスの上縁部と上記ルーフとの間をシールする弾性材からなる車両用シール材において、
上記シール材は、上記昇降ガラスの上縁部が下方から圧接する中空状シール部を備え、
上記中空状シール部における車幅方向内側の一部は開放部とされ、
上記中空状シール部における車幅方向内側には、上記リテーナが有する第１係合孔に挿入された状態で係合する第１係合突部と、上記リテーナの第１係合孔の周縁部に対して車幅方向外側から当接して該リテーナによって支持される当接部とが設けられていることを特徴とする車両用シール材。
【請求項２】
請求項１に記載の車両用シール材において、
上記シール材の上記第１係合突部の突出方向先端側は、基端側に比べて幅広となるように形成され、該先端側が上記リテーナの上記第１係合孔の内面に引っ掛かるようにして係合することを特徴とする車両用シール材。
【請求項３】
請求項１または２に記載の車両用シール材において、
上記中空状シール部の上記開放部は上記リテーナの車幅方向外側の面によって覆われ、上記中空状シール部と上記リテーナとによって閉断面が構成されていることを特徴とする車両用シール材。
【請求項４】
請求項１から３のいずれか１つに記載の車両用シール材において、
上記当接部は、上記第１係合突部よりも上方に設けられていることを特徴とする車両用シール材。
【請求項５】
請求項１から４のいずれか１つに記載の車両用シール材において、
上記シール材の下部には、上記リテーナの下部を覆うように車幅方向外側から内側へ延びる延出部が形成され、
上記延出部には、上記リテーナの下部に形成されている第２係合孔に挿入された状態で係合する第２係合突部が設けられていることを特徴とする車両用シール材。
【発明の詳細な説明】
【技術分野】
【０００１】
本発明は、例えばコンバーチブルタイプやハードトップタイプの自動車のルーフに設けられるシール材に関し、特に、サッシュの無いサッシュレスドアの昇降ガラスの上縁部と上記ルーフとの間をシールする構造の技術分野に属する。
【背景技術】
【０００２】
例えば、特許文献１に開示されているように、自動車のフロントドアとして、昇降ガラスと、昇降ガラスの前方に設けられた固定のサイドパネルとを備えたものが知られている。昇降ガラスの前側には、弾性材よりなるグラスラン及びグラスランを保持するリテーナが設けられている。グラスラン及びリテーナは昇降ガラスの昇降方向（上下方向）に延びている。
【０００３】
グラスランは、昇降ガラスの前縁部が接する中空状シール部を有している。この中空状シール部における車室外側部分には、上下方向に延びるスリットが形成されており、このスリットの形成によって中空状シール部が一部開放されている。また、グラスランの車室外側部分には、スリットよりも前側及び後側にそれぞれ前側及び後側係合溝が上下方向に延びるように形成され、さらに、グラスランのスリットの縁部に沿って２つの中間係合溝が上下方向に延びるように形成されている。
【０００４】
一方、リテーナの前後両縁部近傍には、相対するように突出する前側及び後側突部がそれぞれ形成され、また、前側及び後側突部の中間部には、上下方向に延びる中間突部が形成されている。そして、リテーナの前側及び後側突部をグラスランの前側及び後側係合溝に入れて係合させ、さらに、リテーナの中間突部をグラスランの中間係合溝に入れて係合させるようになっている。
【先行技術文献】
【特許文献】
【０００５】
【特許文献１】特開２０１３−１２９４０２号公報
【発明の概要】
【発明が解決しようとする課題】
【０００６】
上記特許文献１では、グラスランの中空状シール部にスリットを形成して中空状シール部の一部分を開放しているので、中空状シール部の内面を成形するための金型の中芯が大きくても成形後に中芯を容易に抜き出すことができ、中空状シール部の形状設定の自由度を向上できるという利点がある。
【０００７】
ところで、例えば自動車ドアにおいては、昇降ガラスの周囲を囲むサッシュの無い、いわゆるサッシュレスドアがあり、特にコンバーチブルタイプやハードトップタイプの自動車に設けられていることが多い。サッシュレスドアが設けられた自動車のルーフのシール構造に着目すると、閉めるときの昇降ガラスは下方からシール材に圧接することになる。
【０００８】
本発明者らは、特許文献１のグラスランのように中空状シール部にスリットを設けて一部を開放することで型成形の場合に中空状シール部の形状設定の自由度を向上できる点に着目し、中空状シール部に開放部を設けたシール材を、サッシュレスドアが設けられた車両のルーフのシール材として使用することに想到した。これにより、ルーフに設けるシール材の中空状シール部の形状設定の自由度を向上させることができる。
【０００９】
ところが、サッシュレスドアを備えた車両のルーフに設けられるシール材の場合、上述したように昇降ガラスが下からシール材に圧接することになるので、中空状シール部が昇降用ガラスによって下から押圧される。この押圧力が作用すると、特許文献１では中空状シール部にスリットが形成されていて変形しやすい構造となっているのに加え、シール材となるグラスランの係合溝にリテーナの突部を入れて係合させているだけなので、中空状シール部が倒れ込むように大きく変形してしまい、この変形によってシール性を確保できなくなることが考えられる。
【００１０】
本発明は、かかる点に鑑みてなされたものであり、その目的とするところは、中空状シール部の一部を開放して中空状シール部の形状設定の自由度を向上させ、そのシール材をサッシュレスドアが設けられた車両のルーフに設けた場合に十分なシール性を確保できるようにすることにある。
【課題を解決するための手段】
【００１１】
上記目的を達成するために、本発明では、中空状シール部における車幅方向内側に開放部を形成し、シール材には、リテーナの係合孔に係合する係合突部と、リテーナの係合孔の周縁部に対して車室外側から当接して該リテーナによって支持される当接部を設けて中空状シール部の倒れ変形を抑制するようにした。
【００１２】
すなわち、サッシュレスドアを備えた車両のルーフに固定されるリテーナに取り付けられ、上記サッシュレスドアの昇降ガラスの上縁部と上記ルーフとの間をシールする弾性材からなる車両用シール材において、
上記シール材は、上記昇降ガラスの上縁部が下方から圧接する中空状シール部を備え、
上記中空状シール部における車幅方向内側の一部は開放部とされ、
上記中空状シール部における車幅方向内側には、上記リテーナが有する第１係合孔に挿入された状態で係合する第１係合突部と、上記リテーナの第１係合孔の周縁部に対して車幅方向外側から当接して該リテーナによって支持される当接部とが設けられている。
【００１３】
この構成によれば、中空状シール部における車幅方向内側に開放部を形成したことで、型成形の場合、中空状シール部の内面を成形するための中芯が大きくても中芯を成形後に容易に抜き出すことが可能になる。よって、大きな中芯を使用して中空状シール部を成形することが可能になり、中空状シール部の形状設定の自由度が向上する。
【００１４】
また、中空状シール部の係合突起をリテーナの第１係合孔に挿入して係合させることで、シール材がリテーナに取り付けられる。この状態で、昇降ガラスが閉じるときには、昇降ガラスの上縁部が中空状シール部に下方から圧接する。このとき、中空状シール部の当接部がリテーナの第１係合孔の周縁部に対して車幅方向外側から当接してリテーナによって支持される。よって、中空状シール部が倒れ込むように変形するのが抑制される。
【００１５】
好ましくは、上記シール材の上記第１係合突部の突出方向先端側は、基端側に比べて幅広となるように形成され、該先端側が上記リテーナの上記第１係合孔の内面に引っ掛かるようにして係合する。
【００１６】
この構成によれば、シール材の第１係合突部の先端側がリテーナの第１係合孔にしっかりと係合するようになり、第１係合孔から抜け難くなる。
【００１７】
好ましくは、上記中空状シール部の上記開放部は上記リテーナの車幅方向外側の面によって覆われ、上記中空状シール部と上記リテーナとによって閉断面が構成されている。
【００１８】
この構成によれば、中空状シール部の開放部をリテーナの車室外側の面によって覆うことで中空状シール部を閉断面にしている。これにより、シール性がより一層良好になる。
【００１９】
好ましくは、上記当接部は、上記第１係合突部よりも上方に設けられている。
【００２０】
この構成によれば、中空状シール部に昇降ガラスの上縁部が下方から圧接した際、第１係合突部がリテーナに係合しているので、その第１係合突部よりも上側の部分、即ち、当接部はリテーナ側に押されることになり、当接部をリテーナに確実に当接させてリテーナによって支持することが可能になる。
【００２１】
好ましくは、上記シール材の下部には、上記リテーナの下部を覆うように車幅方向外側から内側へ延びる延出部が形成され、
上記延出部には、上記リテーナの下部に形成されている第２係合孔に挿入された状態で係合する第２係合突部が設けられている。
【００２２】
この構成によれば、シール材の延出部の第２係合部がリテーナの第２係合孔に係合するので、延出部がリテーナの下部に保持される。このとき、上述のように昇降ガラスが閉まるときに中空状シール部の変形が抑制されているので、第２係合部が第２係合孔から離脱することはなく、係合状態が維持される。
【発明の効果】
【００２３】
本発明によれば、中空状シール部における車幅方向内側に開放部を形成したので、型成形の場合、金型の中芯が大きなものであっても成形後に容易に抜き出すことができ、中空状シール部の形状設定の自由度を向上させることができる。そして、中空状シール部の第１係合突部をリテーナの第１係合孔に挿入して係合させてシール部材をリテーナに取り付けることができ、この状態で、閉じるときの昇降ガラスの上縁部が中空状シール部に下方から圧接すると、中空状シール部の当接部がリテーナの第１係合孔の周縁部に当接してリテーナによって支持されるので、中空状シール部の倒れ変形を抑制することができ、その結果、十分なシール性を確保できる。
【００２４】
また、シール材の第１係合突部の突出方向先端側を基端側に比べて幅広とし、該先端側がリテーナの第１係合孔の内面に引っ掛かるようにして係合している場合には、シール材の第１係合突部の先端側が第１係合孔から抜け難くすることができる。
【００２５】
また、中空状シール部の開放部をリテーナによって覆い、中空状シール部とリテーナとによって閉断面を構成した場合には、シール性をより一層良好にすることができる。
【００２６】
また、当接部を第１係合突部よりも上方に設けた場合には、中空状シール部に昇降ガラスの上縁部が下方から圧接した際に当接部をリテーナに確実に当接させて支持することができる。
【００２７】
また、シール材の下部に、リテーナの下部を覆う延出部を形成し、延出部の第２係合突部を、リテーナの下部の第２係合孔に挿入した状態で離脱しないように係合させることも可能になる。この場合には、シール材をリテーナに確実に取り付けることができる。
【図面の簡単な説明】
【００２８】
【図１】実施形態に係る車両用シール材が取り付けられた車両の斜視図である。
【図２】車両の骨格構造を示す右側面図である。
【図３】シール材を車室外側から見た側面図である。
【図４】シール材が取り付けられたリテーナを車室内側から見た側面図である。
【図５】シール材を前側から見た斜視図である。
【図６】シール材が取り付けられたリテーナを車室内側から見た斜視図である。
【図７】リテーナを車室内側から見た側面図である。
【図８】図４におけるVIII−VIII線断面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態に係る車両用シール材１を備えた車両の一部を示す斜視図である。この図１に示す車両は、折りたたんで格納することができるルーフ１０２を有するコンバーチブルタイプの車両である。ルーフ１０２の外装材は、布材であってもよいし、金属製パネル材等であってもよい。
【００３１】
尚、この実施形態の説明では、車両前側を単に「前」といい、車両後側を単に「後」というものとする。また、以下の説明では、コンバーチブルタイプの車両に本発明を適用した場合について説明するが、本発明は、例えばハードトップタイプの自動車に適用することもできる。ハードトップタイプの自動車の場合は、ルーフ１０２を折り畳むことができない点でコンバーチブルタイプと異なっているが、フロントドア１０１の基本構造等は殆ど同じであるため、詳細な説明は省略する。
【００３２】
この車両の骨格は、図２に示すように、車両のフロアパネル（図示せず）の前部において両側部から上方へそれぞれ延びる一対のピラー１００を備えている。ピラー１００には、フロントドア１０１の前端部がヒンジ（図示せず）を介して開閉可能に取り付けられている。ピラー１００の下半部は略鉛直に延びる一方、上半部は上側へ行くほど後側に位置するように傾斜して延びている。ピラー１００の上端部には、ルーフ１０２の前端部が離脱可能に連結されている。ルーフ１０２は複数のルーフ構成部材１０２ａ、１０２ｂ、１０２ｃからなり、それらを前後方向に並ぶように組み合わせて構成されている。これらルーフ構成部材１０２ａ、１０２ｂ、１０２ｃは図示しないリンクによって互いに連結されており、図外の駆動装置の駆動力が伝達されて図１に示すように展開してルーフ１０２となる状態と、図示しないが折りたたまれて車室の後部に収容された状態とに切り替えられる。
【００３３】
また、フロントドア１０１は、昇降ガラス１０３を備えている。昇降ガラス１０３は、図示しないがパワーウインド装置によって上下方向に駆動される。この実施形態のフロントドア１０１は、上半部が昇降ガラス１０３の周囲を囲むサッシュの無い、いわゆるサッシュレスドアである。
【００３４】
ルーフ構成部材１０２ａ、１０２ｂ、１０２ｃは、前後方向の長さや、形状等が互いに異なっているが、シール材３０が取り付けられる構造の基本的な部分は全て同じであるため、以下、ルーフ１０２の前後方向中間部に配置されるルーフ構成部材１０２ｂについて説明する。
【００３５】
ルーフ構成部材１０２ｂは、上述したリンクの他、ルーフ１０２の外装となる外装材１０２ｄ及び骨格部材（図示せず）を備えている。骨格部材の車両左右方向両側部には、昇降ガラス１０３の上縁部とルーフ１０２との間をシールするための弾性材からなるシール材３０が取り付けられるリテーナ２０（図４、図６及び図７等に示す）がそれぞれ固定されている。
【００３６】
（リテーナ２０の構成）
リテーナ２０は、外装材１０２ｄの側縁部に沿って車両前後方向に延びる細長い形状とされ、例えば硬質の樹脂材や金属材を成形してなる高剛性な部材からなる一体成形品である。図７及び図８に示すように、リテーナ２０の上部には、複数の上部係合孔２１、２１、…がリテーナ２０の長手方向（車両前後方向）に互いに間隔をあけて形成されている。また、リテーナ２０の上下方向中間部において上部係合孔２１の下方には、中間係合孔２２、２２、…がリテーナ２０の長手方向に互いに間隔をあけて形成されている。さらに、リテーナ２０の上下方向中間部において中間係合孔２２の下方には、下部係合孔（第１係合孔）２３、２３、…がリテーナ２０の長手方向に互いに間隔をあけて形成されている。尚、図面では省略しているが、特に樹脂材で金型成形して製造する際には上部係合孔２１と中間係合孔２２との間、及び、中間係合孔２２と下部係合孔２３との間の部分には、成形後のヒケを防止するための凹形状を設けることができる。
【００３７】
上部係合孔２１、中間係合孔２２及び下部係合孔２３は、それぞれリテーナ２０の長手方向に長いスリット状に形成されている。図７に示すように、リテーナ２０の上部係合孔２１の前縁部及び後縁部には、上下方向に延びる上部縦壁部２４がそれぞれ形成されている。この上部縦壁部２４は、隣り合う上部係合孔２１、２１の間にも位置する。
【００３８】
また、リテーナ２０の中間係合孔２２の前縁部及び後縁部には、上下方向に延びる中間縦壁部２５がそれぞれ形成されている。中間縦壁部２５は、隣り合う中間係合孔２２、２２の間にも位置する。さらに、リテーナ２０の下部係合孔２３の前縁部及び後縁部には、上下方向に延びる下部縦壁部２６がそれぞれ形成されている。下部縦壁部２６は、隣り合う下部係合孔２３、２３の間にも位置する。
【００３９】
上部縦壁部２４、中間縦壁部２５及び下部縦壁部２６は、リテーナ２０の上下方向に並ぶように配置される。つまり、上部縦壁部２４、中間縦壁部２５及び下部縦壁部２６は、シール材３０の長手方向である前後方向と交差する方向に並ぶように設けられることになる。
【００４０】
リテーナ２０には、ルーフ構成部材１０２ｂに対して締結部材（図示せず）によって締結される複数の締結部２７が互いにリテーナ２０の長手方向に間隔をあけて設けられている。各締結部２７は、締結板部２７ａと、締結板部２７ａを貫通するように形成された締結孔２７ｂとで構成されている。締結板部２７ａは、リテーナ２０の上下方向中間部において、隣り合う中間係合孔２２、２２の間から隣り合う下部係合孔２３、２３の間まで上下方向に延びている。締結孔２７ｂには、締結部材が挿通するようになっている。
【００４１】
図８に示すように、リテーナ２０における上部係合孔２１の上縁部には、下方へ突出して該上縁部に沿って延びる上部突条部２１ａが形成されている。この上部突条部２１ａの形成により、上部係合孔２１の上下方向の寸法は、車幅方向外側が内側に比べて短くなっている。
【００４２】
リテーナ２０における上部係合孔２１の下縁部には、車幅方向外側へ延出する延出板部２８が形成されている。延出板部２８の基端側は、上部係合孔２１の下縁部から車幅方向外側へ行くほど下に位置するように傾斜して延びる第１傾斜部２８ａで構成されている。また、延出板部２８の先端側は、第１傾斜部２８ａの先端部から車幅方向外側へ行くほど下に位置するように、第１傾斜部２８ａの傾斜度合いよりもきつく傾斜して延びる第２傾斜部２８ｂで構成されている。
【００４３】
延出板部２８には、該延出板部２８の基端側を補強するためのリブ２８ｃが形成されている。リブ２８ｃは、延出板部２８の第１傾斜部２８ａの下面に一体成形されており、リテーナ２０における中間係合孔２２よりも上側の部分と連続している。リブ２８ｃにおける第１傾斜部２８ａの下面からの突出量、即ち、リブ２８ｃの上下寸法は、延出板部２８の先端側へ行くほど短くなるように設定されている。
【００４４】
延出板部２８は、閉状態の昇降ガラス１０３（図８に仮想線で示す）の上縁部よりも車幅方向外側まで延びている。そして、延出板部２８の第２傾斜部２８ｂの先端部は、閉状態の昇降ガラス１０３の上縁部よりも下方に位置している。これにより、昇降ガラス１０３が閉状態にあるときに、車両が高速走行して昇降ガラス１０３が負圧力によって車幅方向外側へ変位しようとした際に、昇降ガラス１０３の上縁部が車幅方向外側から延出板部２８によって支持されて昇降ガラス１０３の変位が抑制される。尚、昇降ガラス１０３は、フロントドア１０１の開閉動作時には延出板部２８と干渉しないように僅かに下降し、開閉動作が完了した後、上昇端位置まで上昇するようにパワーウインド装置によって自動的に制御される。この制御は従来から周知のものである。
【００４５】
リテーナ２０における中間係合孔２２の上縁部には、下方へ突出して該上縁部に沿って延びる上部突条部２２ａが形成されている。また、リテーナ２０における中間係合孔２２の下縁部には、上方へ突出して該下縁部に沿って延びる下部突条部２２ｂが形成されている。上部突条部２２ａ及び下部突条部２２ｂの形成により、中間係合孔２２の上下方向の寸法は、車幅方向外側が内側に比べて短くなっている。
【００４６】
また、リテーナ２０における下部係合孔２３の上縁部及び下縁部には、中間係合孔２２と同様に、上部突条部２３ａ及び下部突条部２３ｂがそれぞれ形成されている。上部突条部２３ａ及び下部突条部２３ｂの形成により、下部係合孔２３の上下方向の寸法は、車幅方向外側が内側に比べて短くなっている。
【００４７】
リテーナ２０の車幅方向内側の下部には、内側係合孔（第２係合孔）２９が形成されている。内側係合孔２９は、リテーナ２０の車幅方向内側の面に開口しており、前後方向に延びている。
【００４８】
（シール材３０の構成）
シール材３０は、止水性を有する各種弾性材を材料として使用することができ、例えばＥＰＤＭなどのゴムや熱可塑性エラストマー（ＴＰＥ）であって、この材料を押出成形または型成形することによって得られた一体成形品である。この実施形態では、シール材３０が型成形によって得られた場合について説明するが、成形の方法は特に限定されない。
【００４９】
図３に示すように、シール材３０の全体形状は、前後方向に長い形状であり、図６や図８に示すように、上記リテーナ２０を車幅方向外側、上側及び下側から覆うように形成されるとともに、リテーナ２０の長手方向両端部も覆うように形成されている。したがって、図２に示すように、リテーナ２０にシール材３０が取り付けられると、車幅方向外側や下側からリテーナ２０を見ることができないようになっている。
【００５０】
図８に示すように、シール材３０の上部には、上側中空状シール部３１が形成され、下部には、下側中空状シール部３２が形成されている。上側中空状シール部３１の車幅方向内側には、上側スリット３３が形成されている。上側スリット３３は、上側中空状シール部３１を車幅方向内側に開放するためのものである。上側中空状シール部３１の内面を成形する金型の中芯（図示せず）は、上側スリット３３から取り出される。
【００５１】
上側中空状シール部３１には、リテーナ２０の延出板部２８が上側スリット３３から差し込まれるようになっている。上側中空状シール部３１の上壁部３１ａは、リテーナ２０の延出板部２８の上面に沿って車幅方向外側へ行くほど下に位置するように傾斜して延びている。上側中空状シール部３１の下壁部３１ｂは、リテーナ２０の延出板部２８の下面から下方に離れており、全体として車幅方向外側へ行くほど下に位置するように湾曲しながら延びている。上側中空状シール部３１の下壁部３１ｂの先端と、上壁部３１ａの先端とが連続している。
【００５２】
上側中空状シール部３１における上側スリット３３の上縁部には、上方へ突出して前後方向に延びる上側突条部３１ｃが形成されている。上側突条部３１ｃは、リテーナ２０の上部係合孔２１に挿入された状態で、該上部係合孔２１の周縁部に係合するようになっている。このとき、上側突条部３１ｃが上部係合孔２１の上部突条部２１ａに対して車幅方向内側から引っ掛かるようにして係合するようになっている。
【００５３】
上側中空状シール部３１の上壁部３１ａの外面には、第１リップ部３６と第２リップ部３７とが形成されている。第１リップ部３６は、上側中空状シール部３１の上壁部３１ａから上方に離れて配置され、車幅方向外側へ延びている。第２リップ部３７は、第１リップ部３６の上面から上方に離れて配置され、車幅方向外側へ延びている。この第２リップ部３７は、リテーナ２０の上部よりも上に位置している。第１リップ部３６及び第２リップ部３７には、ルーフ構成部材１０２ｂが有する金属パネル１０２ｅが車幅方向外側から当接するようになっている。
【００５４】
下側中空状シール部３２の車幅方向内側には、下側スリット（開放部）３４が形成されている。下側スリット３４は、下側中空状シール部３２を車幅方向内側に開放するためのものである。下側中空状シール部３２の内面を成形する金型の中芯（図示せず）は、下側スリット３４から取り出される。このように下側中空状シール部３２の一部を開放させることで、金型の中芯が大きくても下側中空状シール部３２の成形後に中芯を下側中空状シール部３２の内部から容易に取り出すことができるので、下側中空状シール部３２の形状設定の自由度が向上する。上側中空状シール部３１も同様である。
【００５５】
下側中空状シール部３２の上壁部３２ａは、上側中空状シール部３１の下壁部３１ｂから下方に離れて配置され、車幅方向外側へ行くほど下に位置するように傾斜して延びている。また、下側中空状シール部３２の下壁部３２ｂも車幅方向外側へ行くほど下に位置するように傾斜して延びており、下壁部３２ｂの傾斜度合いは上壁部３２ａの傾斜度合いよりもきつくなっている。従って、下側中空状シール部３２の上下方向の寸法は、車幅方向外側へ行くほど長くなっている。また、下側中空状シール部３２の上壁部３２ａの外端部と、下壁部３２ｂの外端部とは側壁部３２ｃによって接続されている。
【００５６】
下側中空状シール部３２の上壁部３２ａの外端部には、上方へ突出して前後方向に延びる突出部３８が形成されている。突出部３８は、上側中空状シール部３１の車幅方向外端部よりも内側に位置しており、突出部３８の先端部は、上側中空状シール部３１の下壁部３１ｂの下面と対向している。
【００５７】
シール材３０の下部には、リテーナ２０の下部を覆うように車幅方向外側から内側へ延びる延出部３９が形成されている。延出部３９は、リテーナ２０の車幅方向内側の端部よりも内方まで延びていて、全体として下方へ向けて湾曲した形状となっている。
【００５８】
延出部３９の上面には、リテーナ２０の下部に形成されている内側係合孔２９に挿入された状態で係合する下側係合突部（第２係合突部）４０が上方へ突出するように設けられている。下側係合突部４０の先端部は、車幅方向外側へ向けて屈曲しており、この先端部がリテーナ２０の内側係合孔２９に挿入される。また、下側係合突部４０の先端部は、先鋭形状となっている。
【００５９】
シール材３０の上側中空状シール部３１と下側中空状シール部３２との間には、車幅方向内側へ突出して前後方向に延びる上側係合突部４１が形成されている。上側係合突部４１の先端側は、基端側に比べて上下方向の寸法が長い幅広形状とされている。また、上側係合突部４１の先端側は先鋭形状となっている。
【００６０】
上側係合突部４１は、リテーナ２０の中間係合孔２２に挿入された状態で、該中間係合孔２２の周縁部に係合するようになっている。このとき、上側係合突部４１の先端側が中間係合孔２２の上部突条部２２ａ及び下部突条部２２ｂに対して車幅方向内側から引っ掛かるようにして係合するようになっている。
【００６１】
シール材３０における上側係合突部４１よりも上側の部分には、リテーナ２０の中間係合孔２２の上縁部に対して車幅方向外側から当接して該リテーナ２０によって支持される上側当接部４２が形成されている。
【００６２】
また、シール材３０における上側係合突部４１よりも下側の部分には、リテーナ２０の中間係合孔２２の下縁部に対して車幅方向外側から当接して該リテーナ２０によって支持される中間当接部４３が形成されている。
【００６３】
シール材３０の下側中空状シール部３２における車幅方向内側には、内側へ突出して前後方向に延びる中間係合突部（第１係合突部）４４が形成されている。中間係合突部４４の先端側は、基端側に比べて上下方向の寸法が長い幅広形状とされている。また、中間係合突部４４の先端側は先鋭形状となっている。
【００６４】
中間係合突部４４は、リテーナ２０の下部係合孔２３に挿入された状態で、該下部係合孔２３の周縁部に係合するようになっている。このとき、中間係合突部４４が下部係合孔２３の上部突条部２３ａ及び下部突条部２３ｂに対して車幅方向内側から引っ掛かるようにして係合するようになっている。
【００６５】
シール材３０における中間係合突部４４よりも上側の部分には、リテーナ２０の下側係合孔２３の上縁部に対して車幅方向外側から当接して該リテーナ２０によって支持される下側当接部４５が形成されている。
【００６６】
（シール材３０の取り付け要領）
次に、シール材３０をリテーナ２０に取り付ける要領について説明する。リテーナ２０の延出板部２８をその先端側からシール材３０の上側スリット３３に差し込み、上側中空状シール部３１の内部に挿入する。このとき、延出板部２８は車幅方向外側へ行くほど下に位置するように傾斜して延びる第１傾斜部２８ａと該第１傾斜部２８ａよりもきつく傾斜している第２傾斜部２８ｂで構成されているため、延出板部２８の差し込み作業性が良好になる。延出板部２８を完全に差し込むと、リブ２８ｃの下端部がシール材３０の上側スリット３３の下縁部に接触し、また、延出板部２８の上面が上側スリット３３の上縁部に接触する。これにより、延出板部２８とシール材３０との位置決めが行われる。
【００６７】
また、延出板部２８の差し込み作業と並行して、または延出板部２８の差し込み作業後に、シール材３０の上側突条部３１ｃ、上側係合突部４１及び中間係合突部４４をリテーナ２０の上部係合孔２１、中間係合孔２２及び下部係合孔２３に対して該リテーナ２０の車幅方向外側から内側へ向けてそれぞれ挿入する。挿入時、上側突条部３１ｃ、上側係合突部４１及び中間係合突部４４を上部係合孔２１、中間係合孔２２及び下部係合孔２３の周縁部に押し付けて弾性変形させながら、押し込んで行く。さらに、下側係合突部４０の先端部をリテーナ２０の内側係合孔２９に挿入する。
【００６８】
図６に示すように、シール材３０の上側突条部３１ｃをリテーナ２０の上部係合孔２１に挿入して係合させると、リテーナ２０の上部縦壁部２４がシール材３０の長手方向に隣り合う上側突条部３１ｃ、３１ｃの間に差し込まれ、上側突条部３１ｃ、３１ｃに係合する。これにより、上部縦壁部２４が、シール材３０に対して該シール材３０の長手方向に係合して該シール材３０の長手方向のずれを抑制する。つまり、上側突条部３１ｃは、リテーナ２０の上部縦壁部２４が存在する位置して溝状に切り欠かれており、シール材３０の上側突条部３１ｃをリテーナ２０に上部係合孔２１に挿入して係合させる際に上側突条部３１ｃが上部縦壁部２４に干渉することはない。
【００６９】
また、シール材３０の上側係合突部４１についても上記した上側突条部３１ｃと同様に溝状の切り欠きがあり、リテーナ２０の中間係合孔２２に挿入して係合させると、リテーナ２０の中間縦壁部２５がシール材３０の長手方向に隣り合う上側係合突部４１、４１の間に差し込まれ、上側係合突部４１、４１に係合する。これにより、中間縦壁部２５が、シール材３０に対して該シール材３０の長手方向に係合して該シール材３０の長手方向のずれを抑制する。
【００７０】
また、シール材３０の中間係合突部４４も同様に溝状の切り欠きがあり、リテーナ２０の下部係合孔２３に挿入して係合させると、リテーナ２０の下部縦壁部２６がシール材３０の長手方向に隣り合う中間係合突部４４、４４の間に差し込まれ、中間係合突部４４、４４に係合する。これにより、下部縦壁部２６が、シール材３０に対して該シール材３０の長手方向に係合して該シール材３０の長手方向のずれを抑制する。
【００７１】
（作用効果）
以上説明したように、シール材３０をリテーナ２０に取り付ける際、リテーナ２０の上部縦壁部２４、中間縦壁部２５及び下部縦壁部２６をそれぞれシール材３０の上側突条部３１ｃ、上側係合突部４１及び中間係合突部４４に係合させることができる。これにより、上部縦壁部２４、中間縦壁部２５及び下部縦壁部２６がシール材３０に対して該シール材３０の長手方向に係合して該シール材３０の長手方向のずれを抑制することができるので、例えばシール材３０を引っ張りながら作業を進めていっても、最終的にシール材３０がリテーナ２０に対して位置ずれすることはなくなるとともに、シール材３０の長さのバラつきも解消することができる。
【００７２】
また、複数の上部縦壁部２４、中間縦壁部２５及び下部縦壁部２６をシール材３０の長手方向に間隔をあけて設けているので、シール材３０のリテーナ２０への取付位置のバラつきを確実に防止できる。
【００７３】
また、以上のようにしてシール材３０が取り付けられたリテーナ２０を車両に締結固定した状態で、昇降ガラス１０３を上昇させて閉じると、昇降ガラス１０３の上縁部がシール材３０の下側中空状シール部３２に対して下方から圧接する。昇降ガラス１０３の上縁部が下側中空状シール部３２に圧接すると、下側中空状シール部３２が変形していき、中間当接部４３がリテーナ２０の中間係合孔２２の下縁部に対して車幅方向外側から当接して該リテーナ２０によって支持される。これにより、下側中空状シール部３２が倒れ込むように変形するのが抑制され、下側中空状シール部３２を昇降ガラス１０３に確実に密着させることができる。
【００７４】
閉じる途中にある昇降ガラス１０３の上縁部は、下側中空状シール部３２の側壁部３２ｃを摺動し、やがて、上側中空状シール部３１の下壁部３１ｂに対して下方から圧接する。昇降ガラス１０３の上縁部が上側中空状シール部３１に圧接すると、上側中空状シール部３１が潰れるように変形して昇降ガラス１０３の上縁部に密着する。
【００７５】
したがって、この実施形態に係るシール材３０によれば、下側中空状シール部３２における車幅方向内側に下側スリット３４を形成して開放させたので、型成形時には、金型の中芯が大きなものであっても成形後に容易に抜き出すことができ、下側中空状シール部３２の形状設定の自由度を向上させることができる。そして、下側中空状シール部３２の中間係合突部４４をリテーナ２０の下部係合孔２３に挿入して係合させてシール部材３０をリテーナ２０に取り付けることができ、この状態で、閉じるときの昇降ガラス１０３の上縁部が下側中空状シール部３２に下方から圧接すると、下側中空状シール部３２の下側当接部４５がリテーナ２０の下部係合孔２３の周縁部に当接してリテーナ２０によって支持されるので、下側中空状シール部３２の変形を抑制することができ、その結果、十分なシール性を確保できる。
【００７６】
また、シール材３０の中間係合突部４４の突出方向先端側が基端側に比べて幅広とされ、該先端側がリテーナ２０の下部係合孔２３の内面に引っ掛かるようにして係合しているので、シール材３０の中間係合突部４４の先端側が下部係合孔２３から抜け難くすることができる。
【００７７】
また、シール材３０をリテーナ１０に取り付けた状態で、下側中空状シール部３２の下側スリット３４をリテーナ２０によって覆うことができる。これにより、下側中空状シール部３２とリテーナ２０とによって閉断面を構成できるので、シール性をより一層良好にすることができる。上側中空状シール部３１も同様にして閉断面を構成することができるので、シール性を良好にすることができる。
【００７８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７９】
以上説明したように、本発明に係る車両用シール材は、例えば、コンバーチブルタイプやハードトップタイプの自動車のルーフに設けることができる。
【符号の説明】
【００８０】
２０            リテーナ
２３            下部係合孔（第１係合孔）
２９            内側係合孔（第２係合孔）
３０            シール材
３２            下側中空状シール部
３４            下側スリット（開放部）
３９            延出部
４０            下側係合突部（第２係合突部）
４４            中間係合突部（第１係合突部）
４５            下側当接部
１０１          フロントドア（サッシュレスドア）
１０２          ルーフ
１０３          昇降ガラス
【図１】
0006491038.tif 000002
【図２】
0006491038.tif 000003
【図３】
0006491038.tif 000004
【図４】
0006491038.tif 000005
【図５】
0006491038.tif 000006
【図６】
0006491038.tif 000007
【図７】
0006491038.tif 000008
【図８】
0006491038.tif 000009